【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
リモコン装置の操作に係る操作画面を表示部に表示する表示制御装置により実行される、操作画面の制御方法であって、
リモコン装置から送信される、当該リモコン装置を識別するための識別信号を受信する受信ステップと、
前記表示制御装置が対応可能な複数のリモコン装置のそれぞれが有する操作デバイスに関する属性情報が予め記憶されたデータベースから、受信した前記リモコン装置の識別信号に対応する属性情報を取得する取得ステップと、
複数の操作デバイスのうち使用する操作デバイスの組合せが互いに異なる複数の操作方式が予め記憶されたデータベースから、取得した前記リモコン装置の属性情報に対応する操作方式を特定する特定ステップと、
特定した操作方式に係る操作画面を表示部に表示する表示ステップと、
を有することを特徴とする操作画面の制御方法。
【請求項２】
前記複数の操作デバイスは、ポインティングデバイス、キーデバイス、タッチパネルデバイス、およびダイヤルデバイスのうちの少なくとも１つのデバイスを含むことを特徴とする請求項１に記載の操作画面の制御方法。
【請求項３】
前記特定ステップは、取得した前記リモコン装置の属性情報が示す、当該リモコン装置が有する操作デバイスと、予め記憶された前記複数の操作方式との適合度を評価することにより、当該リモコン装置の属性情報に対応する操作方式を特定することを特徴とする請求項１又は２に記載の操作画面の制御方法。
【請求項４】
前記特定ステップは、取得した前記リモコン装置の属性情報が示す、当該リモコン装置が有する操作デバイスおよびその必要度に基づいて、予め記憶された前記複数の操作方式との適合度を評価し、適合度が最も高い操作方式を当該リモコン装置の属性情報に対応する操作方式として特定することを特徴とする請求項１又は２に記載の操作画面の制御方法。 
【請求項５】
請求項１から４のいずれか１項に記載の操作画面の制御方法の各ステップをコンピュータに実行させるためのプログラム。
【請求項６】
リモコン装置の操作に係る操作画面を表示部に表示する表示制御装置であって、
リモコン装置から送信される、当該リモコン装置を識別するための識別信号を受信する受信手段と、
前記表示制御装置が対応可能な複数のリモコン装置のそれぞれが有する操作デバイスに関する属性情報が予め記憶されたデータベースから、前記受信手段により受信された前記リモコン装置の識別信号に対応する属性情報を取得する取得手段と、
複数の操作デバイスのうち使用する操作デバイスの組合せが互いに異なる複数の操作方式が予め記憶されたデータベースから、前記取得手段により取得された前記リモコン装置の属性情報に対応する操作方式を特定する特定手段と、
前記特定手段により特定された操作方式に係る操作画面を描画した画像信号を生成して前記表示部に出力する画面生成手段
とを備えることを特徴とする表示制御装置。
【請求項７】
前記複数の操作デバイスは、ポインティングデバイス、キーデバイス、タッチパネルデバイス、およびダイヤルデバイスのうちの少なくとも１つのデバイスを含むことを特徴とする請求項６に記載の表示制御装置。
【請求項８】
前記特定手段は、前記取得手段により取得された前記リモコン装置の属性情報が示す、当該リモコン装置が有する操作デバイスと、予め記憶された前記複数の操作方式との適合度を評価することにより、当該リモコン装置の属性情報に対応する操作方式を特定することを特徴とする請求項６又は７に記載の表示制御装置。
【請求項９】
前記特定手段は、前記取得手段により取得された前記リモコン装置の属性情報が示す、当該リモコン装置が有する操作デバイスおよびその必要度に基づいて、予め記憶された前記複数の操作方式との適合度を評価し、適合度が最も高い操作方式を当該リモコン装置の属性情報に対応する操作方式として特定することを特徴とする請求項項６又は７に記載の表示制御装置。
【手続補正２】
【補正対象書類名】明細書
【補正対象項目名】発明の名称
【補正方法】変更
【補正の内容】
【発明の名称】操作画面の制御方法及びプログラム、並びに表示制御装置
【手続補正３】
【補正対象書類名】明細書
【補正対象項目名】０００１
【補正方法】変更
【補正の内容】
【０００１】
本発明は、リモコン装置の操作に係る操作画面の制御方法及びプログラム、並びに表示制御装置に関する。
【手続補正４】
【補正対象書類名】明細書
【補正対象項目名】０００４
【補正方法】変更
【補正の内容】
【０００４】
本発明は、このような不都合を解消しうる操作画面の制御方法及びプログラム、並びに表示制御装置を提示することを目的とする。
【手続補正５】
【補正対象書類名】明細書
【補正対象項目名】０００５
【補正方法】変更
【補正の内容】
【０００５】
本発明に係る操作画面の制御方法は、リモコン装置の操作に係る操作画面を表示部に表示する表示制御装置により実行される、操作画面の制御方法であって、リモコン装置から送信される、当該リモコン装置を識別するための識別信号を受信する受信ステップと、前記表示制御装置が対応可能な複数のリモコン装置のそれぞれが有する操作デバイスに関する属性情報が予め記憶されたデータベースから、受信した前記リモコン装置の識別信号に対応する属性情報を取得する取得ステップと、複数の操作デバイスのうち使用する操作デバイスの組合せが互いに異なる複数の操作方式が予め記憶されたデータベースから、取得した前記リモコン装置の属性情報に対応する操作方式を特定する特定ステップと、特定した操作方式に係る操作画面を表示部に表示する表示ステップと、を有することを特徴とする。
本発明に係る操作画面の制御プログラムは、上記制御方法の各ステップをコンピュータに実行させるためのプログラムである。
本発明に係る表示制御装置は、リモコン装置の操作に係る操作画面を表示部に表示する表示制御装置であって、リモコン装置から送信される、当該リモコン装置を識別するための識別信号を受信する受信手段と、前記表示制御装置が対応可能な複数のリモコン装置のそれぞれが有する操作デバイスに関する属性情報が予め記憶されたデータベースから、前記受信手段により受信された前記リモコン装置の識別信号に対応する属性情報を取得する取得手段と、複数の操作デバイスのうち使用する操作デバイスの組合せが互いに異なる複数の操作方式が予め記憶されたデータベースから、前記取得手段により取得された前記リモコン装置の属性情報に対応する操作方式を特定する特定手段と、前記特定手段により特定された操作方式に係る操作画面を描画した画像信号を生成して前記表示部に出力する画面生成手段とを備えることを特徴とする。
【手続補正６】
【補正対象書類名】明細書
【補正対象項目名】００２１
【補正方法】変更
【補正の内容】
【００２１】
表示装置であるデジタルテレビジョン受像機１０は、複数のリモコン装置３０、３０１の信号を判別可能な受信装置１２を具備している。この実施形態においては使用者はリモコン装置３０とリモコン装置３０１のうちのリモコン装置３０を使用している状態を想定して説明する。デジタルテレビジョン受像機１０は図１０のステップを実行する実行部２０１を有している。実行部２０１はステップ１００１とステップ１００２を実行するためのプログラムを格納したフラッシュメモリなどの記憶デバイスであるシステムソフトウェア１４と、そのプログラムを実行する回路であるＧＵＩ設定部２０とを有している。実行部２０１はリモコン装置３０が出力し、受信装置１２で受信（図２のステップ２００１）した信号からリモコン装置３０の識別コードを抽出（図２のステップ２００２）する。その識別コードは、リモコン装置３０のメーカ及びモデル名又は型番を示す情報を含む。ひとつの実施形態としては、実行部２０１はその識別コードに基づいてリモコン装置３０の画像を表示するための信号をフラッシュメモリなどで構成される記憶デバイス２０４から読み出し、その信号を操作画面を形成するための画像信号として出力する形態を採用できる。これにより表示デバイス２２の表示部にリモコン装置３０の画像が表示される。しかしながら本実施形態ではより柔軟に操作画面を表示するために、以下の構成を採用している。すなわち、実行部２０１は、その識別コードを元にリモコン装置の属性を格納しているリモコンデータベース１６を検索し、使用されているリモコン装置３０の属性を読み出す（図２のステップ２００３）。ここでは該属性とはリモコン装置の有する操作デバイスの配置情報（ボタン、ポインティングデバイス、ダイヤルデバイス及びディスプレイの有無と機能）を読み出す。なおリモコンデータベース１６はフラッシュメモリなどの記憶デバイス２０２中に構築されている。